(57)【要約】【課題】  設置場所の自由度に富む、高育成密度で歩留りが良く効率的且つ経済的な閉鎖循環式陸上養殖方法およびその装置を提供する。【解決手段】  複数の所定寸法長さの養殖用パイプをパイプ接続要素により連結構成された閉鎖循環育成経路内において、魚介類を養殖する方法であって、前記閉鎖循環育成経路内における養殖用パイプ内の状態観察用窓より随時魚介類の生育状態、糞等の汚濁物質量、残餌状態を観察して、前記養殖パイプ内に適正水量の循環水および適当量の人工餌料を調整供給し、またパイプ系内で光合成により発芽、育成された天然微細藻類を与え、且つ、前記閉鎖循環経路に併設され必要により連結される浄化経路により前記汚濁物質、残餌を濾過排出させることにより、また、本方法と、所定サイズに育成後、ハイドを沈設した定置式システムによる育成を組み合わせることにより、極めて高い育成効率を得ることができる。【選択図】        図２
2005021142.tif 000002
【特許請求の範囲】
【請求項１】
複数の所定寸法長さの養殖用パイプをパイプ接続要素により連結構成された閉鎖循環育成経路内において、魚介類を養殖する方法であって、前記閉鎖循環育成経路内における養殖用パイプ内の状態観察用窓より随時魚介類の生育状態、糞等の汚濁物質量、残餌状態を観察して、前記養殖用パイプ内に適正水量の循環水および適当量の人工餌料を調整供給し、且つ、前記閉鎖循環経路に併設され必要により連結される浄化経路により前記汚濁物質、残餌を濾過排出させることを特徴とする閉鎖循環式陸上養殖方法。
【請求項２】
前記閉鎖循環育成経路内において、さらに、微細藻類を発生成長させるようにしたことを特徴とする請求項１に記載の閉鎖循環式陸上養殖方法。
【請求項３】
前記魚介類があわびであることを特徴とする請求項１または２に記載の閉鎖循環式陸上養殖方法。
【請求項４】
前記循環水が海水乃至海水類似水であることを特徴とする請求項１〜３のいずれか１項に記載の閉鎖循環式陸上養殖方法。
【請求項５】
前記養殖用パイプ内を循環する循環水の流れが、一方方向流れ、または所定時間ごとに交互に往、復方向に変化する流れであることを特徴とする請求項１〜４のいずれか１項に記載の閉鎖循環式陸上養殖方法。
【請求項６】
前記魚介類の所定生育期間後において、前記養殖用パイプ単位に該魚介類を収穫することを特徴とする請求項１〜５のいずれか１項に記載の閉鎖循環式陸上養殖方法。
【請求項７】
前記魚介類があわびであり、且つ、前記請求項１、２、４、５のいずれか１項に記載の閉鎖循環式陸上養殖方法により育成し、体長３０ｍｍ乃至４０ｍｍに成長した時点で、該あわびをさらに複数のハイドを沈設した定地式水槽に移殖し、出荷サイズまでに育成することを特徴とする閉鎖循環式陸上養殖方法。
【請求項８】
複数の所定寸法長さの養殖用パイプをパイプ接続要素により連結構成された閉鎖循環育成経路装置と、該閉鎖循環育成経路装置の１部に連結併設された、浄化装置を備えた浄化経路装置と、循環水循環装置とを備えた閉鎖循環式陸上養殖装置。
【請求項９】
前記パイプ接続要素が、少なくとも閉鎖循環育成経路内における養殖用パイプ内の状態観察用および／または養殖用パイプ内への投餌用の、開閉自在である窓を有するＴジョイント、１８０゜リターンジョイントを備えていることを特徴とする請求項７に記載の閉鎖循環式陸上養殖装置。
【請求項１０】
前記複数の養殖用パイプとパイプ接続要素により連結構成された閉鎖循環育成経路装置を１連として水平に配置したことを特徴とする請求項８または９に記載の閉鎖循環式陸上養殖装置。
【請求項１１】
前記複数の養殖用パイプとパイプ接続要素により連結構成された閉鎖循環育成経路装置を１連として水平に配置し、該１連の閉鎖循環育成経路装置を複数段、縦方向（地上垂直方向）に併設したことを特徴とする請求項８または９に記載の閉鎖循環式陸上養殖装置。
【請求項１２】
前記養殖用パイプが透明または半透明であることを特徴とする請求項８〜１１のいずれか１項に記載の閉鎖循環式陸上養殖装置。
【請求項１３】
前記パイプ接続要素が透明または半透明であることを特徴とする請求項８〜１２のいずれか１項に記載の閉鎖循環式陸上養殖装置。
【請求項１４】
前記養殖用パイプの上側円弧面に少なくとも一ヶ所の状態観察用および／または投餌用開口を備えたことを特徴とする請求項８〜１３のいずれか１項に記載の閉鎖循環式陸上養殖装置。
【請求項１５】
前記養殖用パイプ内に、少なくともパイプ内清掃のための多数の小孔を有するエアレーション用細管を配設したことを特徴とする請求項８〜１４のいずれか１項に記載の閉鎖循環式陸上養殖装置。
【発明の詳細な説明】
【技術分野】
【０００１】
この発明は、魚介類、特にはアワビの閉鎖循環式陸上養殖方法、およびその装置に関するものである。
【背景技術】
【０００２】
近年、魚介類の養殖に関しては、世界的にその普及度が急増し、その水揚高は国連食糧農業機関（ＦＡＯ）の報告によれば、２，５００万ｔにも及ぶと予想されている。しかも、最近の高級化志向に沿って、各種の高級な魚介類養殖への要求が極めて強くなってきた。
また、従来の一般的な養殖法は、海水域を区画した養殖場やプールによる開放型の養殖が主流である。このことは養殖に供する場所に大きな制限が課せられ、養殖の自由度が場所的に大きく制限されている。
【０００３】
特に、魚介類であっても、貝類はその行動範囲が規制されるために、その給餌方法や育成方法に色々な工夫が試みられている。（例えば、特許文献１参照）
アワビもこの例に洩れず、プールなどを利用し魚礁に類するハイドを底に配設して養殖することが行われている。
【特許文献１】特開平７−１８４５０７号公報（段落０００２、０００３、図１〜３）
【発明の開示】
【発明が解決しようとする課題】
【０００４】
上述のごとく、養殖の基本的な条件としての養殖スペースの問題、育成環境条件整備の問題（特に給餌、浄化、等）等、必ずしも養殖作業を安易に手がけられるものとはされていない。すなわち、養殖スペースの問題は、スペースそのものを確保すること自体が、自然環境の適用性、漁業権問題、多額の設備費用等の点でかなり難しい。
また、育成環境条件整備の問題では、給餌を効率良く与えること、糞等の汚濁物質の処理方法、養殖に適した養殖水の流れ発生等を容易に、且つ効率的に与えることが要求される。これらの条件は区画海水域やプール型の養殖場では可成りの経験とノウハウを必要とし、また多大の労力を伴うものであった。
【０００５】
従って、上記の問題点をカバーし、これらを総合的に解決した、経済的な、且つ将来を踏まえた養殖システムの開発が極めて強く要求されてきている。
本発明は、上述の要求に鑑み、養殖スペースの問題、育成環境条件整備の問題を総合的に解決した魚介類、特にあわびの養殖に対し、設置の自由度をもち、且つ高育成密度、高育成歩留りを図れる閉鎖循環式陸上養殖方法およびその装置を提供することをその目的としている。
【課題を解決するための手段】
【０００６】
本発明の閉鎖循環式陸上養殖方法は、
１）複数の所定寸法長さの養殖用パイプをパイプ接続要素により連結構成された閉鎖循環育成経路内において、魚介類を養殖する方法であって、前記閉鎖循環育成経路内における養殖用パイプ内の状態観察用窓より随時魚介類の生育状態、糞等の汚濁物質量、残餌状態を観察して、前記養殖用パイプ内に適正水量の循環水および適当量の人工餌料を調整供給し、且つ、前記閉鎖循環経路に併設され必要により連結される浄化経路により前記汚濁物質、残餌を濾過排出させるものである。
【０００７】
２）また、上述の１）における閉鎖循環育成経路内において、さらに、微細藻類を発生成長させるようにしたものであり、
３）上述の１）または２）における前記魚介類をあわびとしたものであり、
４）上述の１）〜３）のいずれかにおける前記循環水を海水乃至海水類似水としたものであり、
５）上述の１）〜３）のいずれかにおける前記養殖用パイプ内を循環する循環水の流れを、一方方向流れ、または所定時間ごとに交互に往、復方向に変化する流れとしたものであり、
６）さらに、上述の１）〜５）のいずれかにおいて、前記魚介類の所定生育期間後、前記養殖用パイプ単位に該魚介類を収穫することを特徴としたものである。
７）また、上述の１）、２）、４）、５）のいずれかにおいて、前記魚介類をあわびとし、且つ、前記閉鎖循環式陸上養殖方法により育成して、体長３０ｍｍ乃至４０ｍｍに成長した時点で、該あわびをさらに複数のハイドを沈設した定地式水槽に移殖し、出荷サイズまでに育成させるものである。
【０００８】
また、本発明の閉鎖循環式陸上養殖装置は、
８）複数の所定寸法長さの養殖用パイプをパイプ接続要素により連結構成された閉鎖循環育成経路装置と、該閉鎖循環育成経路装置の１部に連結併設された、浄化装置を備えた浄化経路装置と、循環水循環装置とを備えたものである。
【０００９】
９）また、上述の８）において、前記パイプ接続要素を、少なくとも閉鎖循環育成経路内における養殖用パイプ内の状態観察用および／または養殖用パイプ内への投餌用の、開閉自在である窓を有するＴジョイント、１８０゜リターンジョイントを備えたものとしたものであり、
１０）上述８）および９）において、前記複数の養殖用パイプとパイプ接続要素により連結構成された閉鎖循環育成経路装置を１連として水平に配置したものであり、
１１）上述８）および９）において、前記複数の養殖用パイプとパイプ接続要素により連結構成された閉鎖循環育成経路装置を１連として水平に配置し、該１連の閉鎖循環育成経路装置を複数段、縦方向に併設したものである。
【００１０】
さらに、本発明の閉鎖循環式陸上養殖装置は、
１２）上述の８）〜１１）のいずれかにおいて、前記養殖用パイプを透明または半透明としたものであり、
１３）上述の８）〜１２）のいずれかにおいて、前記パイプ接続要素を透明または半透明としたものであり、
１４）また、上述の８）〜１３）のいずれかにおいて、前記養殖用パイプの上側円弧面に少なくとも一ヶ所の状態観察用および／または投餌用開口を備えたものであり、
１５）さらにまた、上述の８）〜１３）のいずれかにおいて、前記養殖用パイプ内に、少なくともパイプ内清掃のための多数の細孔を有するエアレーション用パイプを配設したことを特徴とするものである。
【発明の効果】
【００１１】
本発明は、
（１）複数の所定寸法長さの養殖用パイプをパイプ接続要素により連結構成された閉鎖循環育成経路内において、魚介類を養殖する方法であって、前記閉鎖循環育成経路内における養殖用パイプ内の状態観察用窓より随時魚介類の生育状態、糞等の汚濁物質量、残餌状態を観察して、前記養殖用パイプ内に適正水量の循環水および適当量の人工餌料を調整供給し、且つ、前記閉鎖循環経路に併設され必要により連結される浄化経路により前記汚濁物質、残餌を濾過排出させる閉鎖循環式陸上養殖方法により、設置場所の自由度のある、高育成密度で歩留りの良い効率的且つ経済的な魚介類、特にはあわびの養殖を行うことができる。
【００１２】
（２）閉鎖循環育成経路内において、微細藻類を発生成長させるようにし、また循環水を海水乃至海水類似水とし、さらに養殖用パイプ内を循環する循環水の流れを、一方方向流れ、または所定時間ごとに交互に往、復方向に変化する流れとすることにより、さらに、魚介類の所定生育期間後、前記養殖用パイプ単位に該魚介類を収穫する閉鎖循環式陸上養殖方法により、各種の魚介類に適した環境を与え、天然ものに近い魚介類の養殖を、高育成密度で歩留りが良く効率的で、且つ経済的に行うことができる。
【００１３】
（３）さらに、閉鎖循環育成経路による所定期間育成後に定置養殖システムにて移植育成することにより、あわびの極めて高い育成効率および優れた経済的効果を得ることができる。
【００１４】
また、本発明の閉鎖循環式陸上養殖装置は、
（４）複数の所定寸法長さの養殖用パイプをパイプ接続要素により連結構成された閉鎖循環育成経路装置と、該閉鎖循環育成経路装置の１部に連結併設された、浄化装置を備えた浄化経路装置と、循環水循環装置とを備えたことにより、設置の自由度を有し、設置コストの易い、育成歩留りの良い効率的な養殖システムを提供することができる。
【００１５】
（５）また、前記パイプ接続要素を、少なくとも閉鎖循環育成経路内における養殖用パイプ内の状態観察用および／または養殖用パイプ内への投餌用の、開閉自在である窓を有するＴジョイント、１８０゜リターンジョイントを備えたものとし、複数の養殖用パイプとパイプ接続要素により連結構成された閉鎖循環育成経路装置を１連として水平に配置し、さらに、前記複数の養殖用パイプとパイプ接続要素により連結構成された閉鎖循環育成経路装置を１連として水平に配置し、該１連の閉鎖循環育成経路装置を複数段、縦方向（地上垂直方向）に併設したことにより、より具体的に設置自由度、低設備コストの養殖システムを提供することができる。
【００１６】
さらに、本発明の閉鎖循環式陸上養殖装置は、
（６）前記養殖用パイプを透明または半透明とし、前記パイプ接続要素を透明または半透明とし、養殖用パイプの上側円弧面に少なくとも一ヶ所の状態観察用および／または投餌用開口を備えたものとし、前記養殖用パイプ内に、少なくともパイプ内清掃のための多数の細孔を有するエアレーション用パイプを配設したことにより、非常に管理のし易い、設置の自由度を有し、設置コストの易い、効率的な養殖システムを提供することができる。
【発明を実施するための最良の形態】
【００１７】
本発明は、その養殖場としての設置場所が、従来の開放型の養殖法と異なり、海水域に限られず陸上、強いては内陸部や山の上でも容易に設置可能なものであることを最大の利点とするものである。
しかも、設置スペースの広さにあわせて、養殖用パイプの長さ、本数を変えることにより容易に養殖量を調整することができ、また、狭いスペースでは１連の閉鎖循環育成経路装置を水平に配置し、該１連の閉鎖循環育成経路装置を複数段、地上垂直方向に併設することも可能としているところに特徴がある。
【００１８】
また、パイプ接続要素としてのＴジョイント、１８０゜リターンジョイント、９０゜リターンジョイントに少なくとも閉鎖循環育成経路内における養殖用パイプ内の状態観察用および／または養殖用パイプ内への投餌用の、開閉自在である窓を備えたことに特徴がある。
この窓よりの観測により、養殖用パイプ内における魚介類、特にはあわびの成長度合い、糞等の汚濁物質や残餌の堆積状態を調べ、循環水の流量、流速、流れ方向を調整して、育成環境を常に清浄且つ適正に保つことができる。
また、この窓よりの採光により、系内に光合成により微細藻類を発芽育成し、天然餌料として利用するようにされている。人工餌料にこの天然餌料を加味することにより魚介類、特にあわびは天然ものの形態を維持することができる。
【００１９】
本発明は、さらに養殖用パイプを透明乃至内部が観察可能な程度の半透明とすることにより、前記の養殖用パイプ内の魚介類、特にはあわびの成長度合い、糞等の汚濁物質あ残餌の堆積状態を調べを容易且つ正確にすることができ、また前記の系内に微細藻類を発芽育成をより効率よく実施することができる。
【００２０】
また、前記の閉鎖循環育成経路内における養殖用パイプ２内の状態観察用および／または養殖用パイプ内への投餌用パイプ接続要素における窓と同様に、図７に示すように養殖用パイプの上側円弧面に少なくとも一ヶ所の状態観察用および／または投餌用開口２１を設けることもできる。該開口は長手方向長さは１００ｍｍ以上、このましくは１００〜４００ｍｍ程度、幅寸法はパイプ直径寸法の４０〜８０％ていどが好ましい。この場合この開口２１を覆う開閉自在のカバー２２を設けることが望ましい。
【００２１】
前記のごとく、該窓よりの観察により、残餌の量を調べ、その状態により給餌の量を増減調整して、その養殖用パイプ内におけるあわびの高育成密度による養殖に必要にして十分な適正量の給餌をすることができ、また優れた環境が維持されることにより、従来の開放型の養殖システムに比較して極めて高い増肉係数をもつ、高歩留りで高効率、経済的な養殖をもたらすことが出来る。
因みに、従来の養殖法によるあわびの養殖と本発明の養殖法および装置によるあわびの養殖における、増肉係数、飼育年数、出荷歩留まりを比較した結果を表１に示す。
【００２２】
【表１】
2005021142.tif 000003
【００２３】
表１から、本発明の養殖法および装置によるあわびの養殖の１例の場合、その優れた環境が維持されること、および必要にして十分な適正量の給餌をすることにより、給餌に無駄が無く、増肉係数は１〜１．５という極めて高い育成歩留りによる効率の良い養殖をすることが出来たことがわかる。また、育成環境が常に適正に保たれることにより、成長効率がよく出荷サイズまでの飼育年数は従来養殖の約半分、生育歩留まりは８０％（従来では、約１０％）にも達している。
【００２４】
上記のごとく、特にあわびの場合は生育歩留まりの良い閉鎖循環育成経路装置の内において所定の期間、具体的には体長３０ｍｍ乃至４０ｍｍまで育成し、その後該育成したあわびをさらに複数のハイドを沈設した定地式水槽に移殖し、出荷サイズまでに育成することにより、従来の養殖法に比べトータルとして極めて高い生育歩留まりを得ることができる。
【実施例１】
【００２５】
図１は、本発明の実施の形態１に係る閉鎖循環式陸上養殖装置を説明する概念図である。
図２は、図１における閉鎖循環育成経路装置の１例を示す説明図であり、（ａ）は平面図、（ｂ）は正面図である。
図４は、本実施の形態において使用される１８０゜リターンジョイントの説明図であり、（ａ）は正面図、（ｂ）は側面図、（ｃ）は平面図である。
図５は、本実施の形態において使用される９０゜ターンジョイントの説明図であり、（ａ）は正面図、（ｂ）は側面図である。
図６は、本実施の形態において使用されるＴジョイントの説明図であり、（ａ）は正面図、（ｂ）は側面図である。
【００２６】
図において、１は閉鎖循環式陸上養殖装置、１２は閉鎖循環育成経路装置、１３は浄化経路装置、１４は循環装置、１５は連結部、２は養殖用パイプ、３は１８０゜リターンジョイント、４は９０゜ターンジョイント、５はＴジョイント、６は支持フレーム、３１、４１、５１は状態観察用（投餌用）窓、３２はスラッジ排出口、３３、４３、５２、５３は養殖用パイプ連結部、４２は外部パイプ連結部である。
【００２７】
本実施の形態における閉鎖循環育成経路装置１２の仕様は、下記のとおりである。
養殖用パイプ：  Ｌ×Ｄ＝２ｍ×１００ｍｍ  ポリプロピレン製   ４本
パイプ接続要素：
Ｔジョイント（１００ｍｍΦ状態観察用（投餌用）窓付き、
口径１００ｍｍ８個）
１８０゜リターンジョイント    （１００ｍｍΦ状態観察用
（投餌用）窓付き、口径１００ｍｍ３個）
９０゜ターンジョイント（１００ｍｍΦ状態観察用（投餌用）
窓付き、口径１００ｍｍ  ３個）
浄化経路装置：  ＃８００メッシュフィルタ、泡沫分離濾過装置、
オゾン殺菌装置併用
循環装置：      軸流ポンプ（水量 ９ｍ3 ／ｍｉｎ．揚程  ６ｍ）
循環水：        海水（約１７℃）
あわび稚貝：    約２０ｍｍサイズ、５００個／パイプ
人工餌給餌率：  約２０
育成期間：      ４ヶ月
【００２８】
上記養殖用パイプ２の各２本をＴジョイント５により連結し、連結されたもの４本を水平、平行に４列に配置し、１−２列、２−３列および３−４列間は１８０゜リターンジョイント３にて連結し、また１、４列端には９０゜ターンジョイント４を取り付け外部パイプ連結部４２により、前記浄化経路装置１３を経て、循環装置１４に連結した。この閉鎖循環式陸上養殖装置１により、約２０ｍｍサイズのあわび稚貝を各養殖用パイプ当たり５００個宛挿入した。
【００２９】
人工餌料を給餌率約２０にて投餌した。投餌に際しては、状態観察窓より随時残餌量を観察しながら投入した。
また、循環海水の流量および浄化経路装置のフィルタの清掃間隔は、状態観察用窓により随時観察しながら糞等の浮揚不純物が堆積しないように調整、設定した。
育成期間４ヶ月経過後、その育成状態および歩留まりを測定した。
【００３０】
４ヶ月間における死亡率は、パイプ列により多少差があるが、いずれも１％以下であった。従って、この間の歩留まりは９５％以上と優れたものであった。
また、製品サイズは約４０ｍｍに達し、重量比では約１．７倍となった。
本実施の形態による結果は、従来のあわび養殖では予想も出来ない高効率の養殖結果であった。
【実施例２】
【００３１】
図３は、本発明の実施の形態２に係る縦型（地上垂直方向に併設した）の閉鎖循環式陸上養殖装置を説明する概念図である。
図において、７は循環水供給パイプ、８は循環水リターンパイプ、９はスラッジ排出パイプである。なお、その他の部材、部分については、前記図１〜６に準じて同一の符号を付し、説明は省略する。
【００３２】
本実施の形態においては、基本的に実施の形態１における閉鎖循環育成経路装置１２を地上垂直方向に３段併設したものである。
各段の前記１、４列端における９０゜ターンジョイント４の外部パイプ連結部４２は、前記浄化経路装置１３を経て、循環装置１４に連結される循環水供給パイプ７および循環水リターンパイプ８により共通に系列連結されている。
【００３３】
本実施の形態の試験仕様は基本的には実施の形態に準じており、ほぼ同一条件にてあわび稚貝（約２０ｍｍサイズ、５００個／パイプ）を４ヶ月養殖した。
実施の形態１に比べ、死亡率は１．７％と若干増えたが、育成状態はほとんど変わらず重量比では約１．７倍の成長を確認した。
【実施例３】
【００３４】
図７は、本発明の実施の形態３に係る、養殖用パイプに直接に状態観察用（投餌用）の開口部を設けた養殖用パイプの説明図である。
図において、２０は透明または半透明の養殖用パイプ、２１は状態観察用（投餌用）開口部、２２はカバーである。
【００３５】
本実施の形態の養殖用パイプを用いて、実施の形態１に準じた閉鎖循環式陸上養殖装置１を構成し、同一条件にて養殖試験を実施した。
４ヶ月養殖期間中若干あわび稚貝同士の重なり合いが生じ、糞等の汚濁物質の排出のために循環水の流量を若干増す必要性が生じた。また、育成度合いも若干ばらつきが大きくなり、死亡率も３％と増加した。
しかしながら、光合成による微細藻類の発芽成長は良好で、パイプのほぼ全面にわたり、且つ成長良好で、あわびの外観的な製品品質は極めて良好となった。
なお、養殖用パイプ内のあわび稚貝の充填量は、透明または半透明のパイプとしての適正個数が別途存在する。
本実施の形態において使用するカバーは、パイプ軸方向へのスライド式、外周方向へのヒンジ式または単なる置き型等を任意に取り付けることができる。
【００３６】
上述のごとく、本発明の実施の形態においては、主として魚介類の内のあわびの養殖について詳述したが、同一の目的で、閉鎖循環式陸上養殖装置の対象として稚魚を採用することも可能である。この場合は稚魚の習性から一方向の循環となり、且つ前記パイプ接続要素のジョイントのＲ部は、より大きくし、急転回を避けるようにしなければならない。
【００３７】
なお、養殖用パイプ内に予め細管に小孔を設けた、エアレーション用細管を配設し圧縮エアの吹き出しにより養殖用パイプの壁面に付着する糞等の汚濁物質、枯れた微細藻類等を効率良く清掃することができる。  エアレーション用管の直径長さおよび管内における配設致位置、小孔の直径および配置、エア圧力および噴出量は、養殖用パイプの壁面に付着物の状態により設定することができる。
【００３８】
また、養殖用パイプの直径、長さ及び配列本数、併設する閉鎖循環育成経路装置の積み重ねる段数、および閉鎖循環育成経路装置に併設する浄化経路装置、循環水循環装置の仕様等は、養殖対象の魚貝類の種類、養殖量により適宜変更することができる。
【実施例４】
【００３９】
図８は、本発明の実施の形態４に係る、閉鎖循環育成経路装置内での所定期間育成後、定置式水槽にて移植育成をするあわびの養殖方法を説明する流れ図である。
図９は、本実施の形態４における養殖装置の１例を示す説明図である。
図において、１６は定置式養殖システム、１７定置式水槽、１８はハイドである。
なお、その他の部材、部分については、前記図１〜６に準じて同一の符号を付し、説明は省略する。
【００４０】
本実施の形態においては、閉鎖循環育成経路装置内で所定期間育成し、その後定置式養殖システムにあわびを移植することにより、極めて高い育成効率を得るｍｐのであり、トータル歩留まりとして９８％と言う驚くべき効果を得ることができた。この移植の所定時点としては、実験の結果、体長２０ｍｍ乃至５０ｍｍ、好ましくは３０ｍｍ乃至４０ｍｍに移植することにより、もっとも効率の良い育成結果が得られることがわかった。
【００４１】
閉鎖循環育成経路装置１２としては、前記実施の形態１〜３におけるものを使用し得るが、定置式養殖システム１６としては、図９のごとく閉鎖循環式陸上養殖装置１の浄化経路装置１３および循環装置１４を共用して併設するばかりでなく、閉鎖循環式陸上養殖装置１とは切り離して単独に設置することもできる。
また、定置式養殖システム１６としては、従来の海上における定置養殖システム、陸上における定置養殖システムのいずれを用いても良い。また定置養殖システムにおいては、コンクリート製の足駄形のハイドを定置式水槽１７の水底に１段乃至数段を重ねて配置して使用することにより、極めて高い投餌効率および清浄効率を得ることができ、より効率の良い育成を期待することができる。
【産業上の利用可能性】
【００４２】
本発明は、主としてあわび養殖の場合について述べたが、魚介類であれば牡蠣、さざえ、はまぐり等の貝類の養殖に適用することができ、また、養殖用パイプ２を比較的大きなＲ部を有する循環回路システムとすることにより、回遊式魚類養殖用システムとして応用することもできる。
【図面の簡単な説明】
【００４３】
【図１】本発明の実施の形態１に係る閉鎖循環式陸上養殖装置を説明する概念図である。
【図２】図１における閉鎖循環育成経路装置の１例を示す説明図であり、（ａ）は平面図、（ｂ）は正面図である。
【図３】本発明の実施の形態２に係る縦型（地上垂直方向に併設した）の閉鎖循環式陸上養殖装置を説明する概念図である。
【図４】本実施の形態において使用される１８０゜リターンジョイントの説明図であり、（ａ）は正面図、（ｂ）は側面図、（ｃ）は平面図である。
【図５】本実施の形態において使用される９０゜ターンジョイントの説明図であり、（ａ）は正面図、（ｂ）は側面図である。
【図６】本実施の形態において使用されるＴジョイントの説明図であり、（ａ）は正面図、（ｂ）は側面図である。
【図７】本発明の実施の形態３に係る、養殖用パイプに直接に状態観察用（投餌用）の開口部を設けた養殖用パイプの説明図である。
【図８】実施の形態４における、閉鎖循環育成経路装置内での所定期間育成後、定置式水槽にて移植育成をするあわびの養殖方法を説明する流れ図である。
【図９】実施の形態４における養殖装置の１例を示す説明図である。
【符号の説明】
【００４４】
１  閉鎖循環式陸上養殖装置
２  養殖用パイプ
３  １８０゜リターンジョイント
４  ９０゜ターンジョイント
５  Ｔジョイント
６  支持フレーム
７  循環水供給パイプ
８  循環水リターンパイプ
９  スラッジ排出パイプ
１２  閉鎖循環育成経路装置
１３  浄化経路装置
１４  循環装置
１５  連結部
１６  定置式養殖システム
１７  定置式水槽
１８  ハイド
２０  透明または半透明の養殖用パイプ
２１  状態観察用（投餌用）開口部
２２  カバー
３１、４１、５１  状態観察用（投餌用）窓
３２  スラッジ排出口
３３、４３、５２、５３  養殖用パイプ連結部
４２  外部パイプ連結部
【図１】
2005021142.tif 000004
【図２】
2005021142.tif 000005
【図３】
2005021142.tif 000006
【図４】
2005021142.tif 000007
【図５】
2005021142.tif 000008
【図６】
2005021142.tif 000009
【図７】
2005021142.tif 000010
【図８】
2005021142.tif 000011
【図９】
2005021142.tif 000012